(57)【要約】【課題】ユーザがあらすじを参考にしやすくすることが可能な電子書籍リーダ機能を有する電子機器を提供する。【解決手段】この電子書籍リーダ１００（電子書籍リーダ機能を有する電子機器）は、電子書籍を閲覧可能に表示する表示部１を備え、ユーザにより電子書籍のあらすじを作成可能なように構成されている。【選択図】図１０
2012038047.tif 000002
【特許請求の範囲】
【請求項１】
電子書籍を閲覧可能に表示する表示部を備え、
ユーザにより前記電子書籍のあらすじを作成可能なように構成されている、電子書籍リーダ機能を有する電子機器。
【請求項２】
ユーザにより前記電子書籍の任意の位置であらすじを作成可能なように構成されている、請求項１に記載の電子書籍リーダ機能を有する電子機器。
【請求項３】
サーバと通信可能な通信部と、
ユーザにより作成されたあらすじを前記通信部を介して前記サーバにアップロード可能な制御部とをさらに備える、請求項１または２に記載の電子書籍リーダ機能を有する電子機器。
【請求項４】
前記ユーザにより作成されたあらすじを記憶する記憶部をさらに備え、
前記制御部は、前記サーバにより公開された他のユーザのあらすじを前記通信部を介して取得して前記記憶部に記憶する制御を行うように構成されている、請求項３に記載の電子書籍リーダ機能を有する電子機器。
【請求項５】
前記制御部は、前記公開された他のユーザのあらすじについてのコメントを受け付け、受け付けたコメントを前記通信部を介して前記サーバにアップロード可能に構成されている、請求項４に記載の電子書籍リーダ機能を有する電子機器。
【請求項６】
前記制御部は、前記ユーザにより作成されたあらすじ、および、取得した前記他のユーザのあらすじを前記表示部に切り替え可能に表示する制御を行うように構成されている、請求項４または５に記載の電子書籍リーダ機能を有する電子機器。
【請求項７】
前記制御部は、前記ユーザにより作成されたあらすじを前記サーバにアップロードする際に、少なくともユーザのハンドル名を含むあらすじ作成情報を合わせてアップロードするように構成されている、請求項４〜６のいずれか１項に記載の電子書籍リーダ機能を有する電子機器。
【請求項８】
前記制御部は、ユーザが前記サーバにより公開された他のユーザのあらすじを取得する際に、前記あらすじ作成情報に基づいて前記他のユーザのあらすじを所定の基準により並べ替えて前記表示部に表示するソートが可能なように構成されている、請求項７に記載の電子書籍リーダ機能を有する電子機器。
【請求項９】
前記あらすじ作成情報は、あらすじの範囲情報を含み、
前記制御部は、ユーザが前記サーバにより公開された他のユーザのあらすじを取得する際に、前記範囲情報に基づいて前記他のユーザのあらすじを前記表示部に表示する制御を行うように構成されている、請求項７または８に記載の電子書籍リーダ機能を有する電子機器。
【発明の詳細な説明】
【技術分野】
【０００１】
この発明は、電子書籍リーダ機能を有する電子機器に関し、特に、電子書籍を閲覧可能な電子書籍リーダ機能を有する電子機器に関する。
【背景技術】
【０００２】
従来、電子書籍を閲覧可能な電子書籍リーダ機能を有する電子機器が知られている（たとえば、特許文献１参照）。
【０００３】
上記特許文献１には、電子書籍を閲覧可能に表示する表示部を備えた電子ブック装置（電子書籍リーダ機能を有する電子機器）が開示されている。この電子ブック装置は、ユーザにより指定された位置のあらすじを自動的に作成するように構成されている。
【先行技術文献】
【特許文献】
【０００４】
【特許文献１】特開２００２−２９７６３４号公報
【発明の概要】
【発明が解決しようとする課題】
【０００５】
しかしながら、上記特許文献１の電子ブック装置（電子書籍リーダ機能を有する電子機器）では、電子書籍のあらすじが自動的に作成されるので、ユーザにとって分かりにくいあらすじが作成される場合があり、その場合には、ユーザがあらすじを参考にしにくいという問題点がある。
【０００６】
この発明は、上記のような課題を解決するためになされたものであり、この発明の１つの目的は、ユーザがあらすじを参考にしやすくすることが可能な電子書籍リーダ機能を有する電子機器を提供することである。
【課題を解決するための手段および発明の効果】
【０００７】
この発明の一の局面による電子書籍リーダ機能を有する電子機器は、電子書籍を閲覧可能に表示する表示部を備え、ユーザにより電子書籍のあらすじを作成可能なように構成されている。
【０００８】
この発明の一の局面による電子書籍リーダ機能を有する電子機器では、上記のように、ユーザにより電子書籍のあらすじを作成可能なように構成することによって、ユーザの好みとは無関係に自動的にあらすじが作成される場合とは異なり、ユーザが自分にとって分かりやすいあらすじを自ら作成することができるので、ユーザにあらすじを参考にさせやすくすることができる。
【０００９】
上記一の局面による電子書籍リーダ機能を有する電子機器において、好ましくは、ユーザにより電子書籍の任意の位置であらすじを作成可能なように構成されている。このように構成すれば、定められた位置でしかあらすじを作成することができない場合とは異なり、ユーザが所望する任意の位置で自分にとって分かりやすいあらすじを作成することができるので、あらすじ参照時のユーザの利便性を高めることができる。
【００１０】
上記一の局面による電子書籍リーダ機能を有する電子機器において、好ましくは、サーバと通信可能な通信部と、ユーザにより作成されたあらすじを通信部を介してサーバにアップロード可能な制御部とをさらに備える。このように構成すれば、ユーザにより作成されたあらすじをサーバを介してユーザ間で共有することができる。これにより、あらすじをサーバにアップロードするユーザが増えれば、サーバに蓄積されるあらすじの量の増加および質の向上を図ることができる。これによっても、あらすじ参照時のユーザの利便性を向上させることができる。
【００１１】
この場合、好ましくは、ユーザにより作成されたあらすじを記憶する記憶部をさらに備え、制御部は、サーバにより公開された他のユーザのあらすじを通信部を介して取得して記憶部に記憶する制御を行うように構成されている。このように構成すれば、記憶部により、ユーザ自らが作成したあらすじに加えて、公開された他のユーザのあらすじも保存することができるので、あらすじ参照時のユーザの利便性をより高めることができる。
【００１２】
上記他のユーザのあらすじを取得可能な構成において、好ましくは、制御部は、公開された他のユーザのあらすじについてのコメントを受け付け、受け付けたコメントを通信部を介してサーバにアップロード可能に構成されている。このように構成すれば、あらすじについてのコメントをサーバを介してユーザ間で共有することができるので、ユーザは、他のユーザのあらすじを取得する際にコメントを参考にすることができる。
【００１３】
上記他のユーザのあらすじを取得可能な構成において、好ましくは、制御部は、ユーザにより作成されたあらすじ、および、取得した他のユーザのあらすじを表示部に切り替え可能に表示する制御を行うように構成されている。このように構成すれば、ユーザは、表示部の表示を切り替えることにより、自ら作成したあらすじおよび他のユーザのあらすじを見比べながら閲覧することができる。これにより、あらすじ参照時のユーザの利便性をより高めることができる。
【００１４】
上記他のユーザのあらすじを取得可能な構成において、好ましくは、制御部は、ユーザにより作成されたあらすじをサーバにアップロードする際に、少なくともユーザのハンドル名を含むあらすじ作成情報を合わせてアップロードするように構成されている。このように構成すれば、サーバによりあらすじとともにハンドル名を公開することができるので、ユーザはハンドル名を手がかりに所望のあらすじを容易に検索することができる。なお、ハンドル名とは、ユーザの本名の代わりに用いるニックネーム（愛称）のことである。
【００１５】
上記あらすじ作成情報をアップロードする構成において、好ましくは、制御部は、ユーザがサーバにより公開された他のユーザのあらすじを取得する際に、あらすじ作成情報に基づいて他のユーザのあらすじを所定の基準により並べ替えて表示部に表示するソートが可能なように構成されている。このように構成すれば、ユーザは、ソートにより所定の基準で並べ替えて所望のあらすじをより容易に検索することができる。
【００１６】
上記あらすじ作成情報をアップロードする構成において、好ましくは、あらすじ作成情報は、あらすじの範囲情報を含み、制御部は、ユーザがサーバにより公開された他のユーザのあらすじを取得する際に、範囲情報に基づいて他のユーザのあらすじを表示部に表示する制御を行うように構成されている。このように構成すれば、ユーザは、所望するあらすじ範囲のあらすじを検索することができるので、あらすじ範囲に無関係に表示されたあらすじの中から検索する場合に比べて、より容易に所望のあらすじを検索することができる。
【図面の簡単な説明】
【００１７】
【図１】本発明の一実施形態による電子書籍リーダの全体構成を示した概略図である。
【図２】本発明の一実施形態による電子書籍リーダのハードウェア構成を示したブロック図である。
【図３】本発明の一実施形態による電子書籍リーダのソフトウェア構成を示したブロック図である。
【図４】本発明の一実施形態による電子書籍リーダのあらすじボタンが選択された場合の処理を説明するためのフローチャートである。
【図５】本発明の一実施形態による電子書籍リーダの電子書籍の内容を表示した画面を示した図である。
【図６】本発明の一実施形態による電子書籍リーダの処理選択画面を示した図である。
【図７】本発明の一実施形態による電子書籍リーダの「読む」が選択された場合の処理を説明するためのフローチャートである。
【図８】本発明の一実施形態による電子書籍リーダのあらすじ表示画面を示した図である。
【図９】本発明の一実施形態による電子書籍リーダの評価入力画面を示した図である。
【図１０】本発明の一実施形態による電子書籍リーダの「作成する」が選択された場合の処理を説明するためのフローチャートである。
【図１１】本発明の一実施形態による電子書籍リーダのあらすじ作成画面を示した図である。
【図１２】本発明の一実施形態による電子書籍リーダのアップロード確認画面を示した図である。
【図１３】本発明の一実施形態による電子書籍リーダの「取得する」が選択された場合の処理を説明するためのフローチャートである。
【図１４】本発明の一実施形態による電子書籍リーダのあらすじ取得画面を示した図である。
【図１５】本発明の一実施形態による電子書籍リーダのあらすじ詳細画面を示した図である。
【発明を実施するための形態】
【００１８】
以下、本発明を具体化した実施形態を図面に基づいて説明する。
【００１９】
まず、図１〜図３を参照して、本発明の一実施形態による電子書籍リーダ１００の構成について説明する。なお、本実施形態では、本発明の電子書籍リーダ機能を有する電子機器を電子書籍リーダ１００に適用した場合について説明する。
【００２０】
本発明の一実施形態による電子書籍リーダ１００は、図１に示すように、人の手に把持された状態で使用可能な大きさを有する携帯型の電子機器である。この電子書籍リーダ１００は、インターネット上の電子書籍サーバ２００（図２参照）と通信可能に構成されている。また、電子書籍リーダ１００は、電子書籍サーバ２００から電子書籍を取得して閲覧可能に表示する機能を有している。また、電子書籍リーダ１００は、ユーザにより電子書籍の任意の位置であらすじを作成可能なように構成されている。なお、電子書籍サーバ２００は、本発明の「サーバ」の一例である。
【００２１】
また、電子書籍リーダ１００は、電子書籍の内容（文字および画像）を表示可能な表示部１と、表示部１が表面に設けられるフレーム２と、表示部１に隣接して設けられた電源ボタン３とを備えている。表示部１は、タッチパネル機能を有している。また、電子書籍リーダ１００の内部には、図２に示すように、揮発性メモリのＲＡＭ（Ｒａｎｄｏｍ  Ａｃｃｅｓｓ  Ｍｅｍｏｒｙ）４と、書き換え可能な不揮発性メモリのフラッシュメモリ５とが設けられている。さらに、電子書籍リーダ１００は、図示しないＳＤカードのデータを読み取るＳＤカード読取部６と、ＵＳＢ（Ｕｎｉｖｅｒｓａｌ  Ｓｅｒｉａｌ  Ｂｕｓ）に対応した電子機器（図示せず）を接続可能なＵＳＢ接続部７と、インターネット通信可能なＷｉＦｉ（登録商標）および３Ｇ（第３世代移動通信システム）に対応した無線通信部８と、ＬＡＮ（Ｌｏｃａｌ  Ａｒｅａ  Ｎｅｔｗｏｒｋ）通信部９とを備えている。また、電子書籍リーダ１００は、無線通信部８を介して、インターネット上の電子書籍サーバ２００と無線通信により双方向通信が可能なように構成されている。なお、フラッシュメモリ５は、本発明の「記憶部」の一例であり、無線通信部８は、本発明の「通信部」の一例である。
【００２２】
ここで、本実施形態では、電子書籍リーダ１００は、ＣＰＵ１０により各部の動作が制御されるように構成されている。ＣＰＵ１０は、後述するように、ユーザにより作成されたあらすじを無線通信部８を介してインターネット上の電子書籍サーバ２００にアップロードするように構成されている。また、ＣＰＵ１０は、ユーザにより作成されたあらすじをフラッシュメモリ５のあらすじ記憶領域５１に記憶する制御を行うように構成されている。また、ＣＰＵ１０は、電子書籍サーバ２００によりインターネット上に公開された他のユーザのあらすじを無線通信部８を介して取得（ダウンロード）する機能を有している。そして、ＣＰＵ１０は、取得した他のユーザのあらすじをフラッシュメモリ５のあらすじ記憶領域５１に記憶する制御を行うように構成されている。なお、ＣＰＵ１０は、本発明の「制御部」の一例である。
【００２３】
次に、図３を参照して、電子書籍リーダ１００のソフトウェア機能の構成について説明する。
【００２４】
タッチパネル機能を有する表示部１による電子書籍に関するＧＵＩ（Ｇｒａｐｈｉｃａｌ  Ｕｓｅｒ  Ｉｎｔｅｒｆａｃｅ）に関連する機能として、電子書籍を表示する機能、電子書籍サーバ２００から電子書籍を取得（ダウンロード）する機能、取得した電子書籍を保存する機能、および、電子書籍のあらすじに関する機能がある。また、電子書籍のあらすじに関する機能には、あらすじを取得する機能およびあらすじを作成する機能がある。また、電子書籍を取得する機能、電子書籍を保存する機能、あらすじを取得する機能およびあらすじを作成する機能は、ネットワーク制御に関連している。そして、ネットワーク制御には、ＷｉＦｉ（登録商標）および３Ｇ（第３世代移動通信システム）による無線通信制御が含まれている。
【００２５】
電子書籍サーバ２００は、インターネットを介して電子書籍をユーザに提供する機能を有している。また、電子書籍サーバ２００は、ユーザからアップロードされたあらすじをインターネット上に公開する機能を有している。具体的には、図２に示すように、電子書籍サーバ２００は、複数の電子書籍を格納する電子書籍記憶部２０１と、アップロードされたあらすじを格納するあらすじ記憶部２０２とを備えている。電子書籍サーバ２００は、電子書籍記憶部２０１に格納された電子書籍をユーザに提供するとともに、あらすじ記憶部２０２に格納されたあらすじをインターネット上に公開するように構成されている。なお、ユーザは、電子書籍サーバ２００から電子書籍を取得するために予め登録が必要である。また、電子書籍サーバ２００は、登録済みのユーザにだけ閲覧可能なように、インターネット上にあらすじを公開するように構成されている。
【００２６】
次に、図４〜図６を参照して、本発明の一実施形態による電子書籍リーダ１００のＣＰＵ１０により実行されるあらすじボタンが選択された場合の処理について説明する。
【００２７】
ＣＰＵ１０は、図５に示す電子書籍の内容を表示する画面上のあらすじボタン１１ａがユーザにより押下された場合に、あらすじボタンが選択された場合の処理を実行する。ユーザは、あらすじに関する機能（あらすじを読むための機能、あらすじを作成するための機能またはあらすじを取得するための機能）を使用したい場合に、本文中の所望の位置を指定してあらすじボタン１１ａを押下する。この際、ユーザは、タッチパネル式の表示部１を介してカーソル１１ｂを任意の位置に配置することによって所望の位置を指定することが可能である。また、フラッシュメモリ５のあらすじ記憶領域５１に保存されているあらすじは、図５に示すように、対応する位置にしおりマーク１１ｃが表示される。しおりマーク１１ｃは、ユーザ自らが作成したあらすじの場合、他のユーザのあらすじの場合、および、その両方のあらすじの場合とで、区別可能に色分けされて表示される。
【００２８】
ユーザにより任意の位置が指定されてあらすじボタン１１ａが押下されると、ＣＰＵ１０は、図４のステップＳ１において、図６に示すように、表示部１に処理選択画面を表示する制御を行う。処理選択画面には、「読む」、「作成する」および「取得する」の処理項目が選択可能に表示される。ユーザにより「読む」の項目が選択された場合には、ＣＰＵ１０は、後述する「読む」が選択された場合の処理（図７参照）を実行する。また、ユーザにより「作成する」の項目が選択された場合には、ＣＰＵ１０は、後述する「作成する」が選択された場合の処理（図１０参照）を実行する。ユーザにより「取得する」の項目が選択された場合には、ＣＰＵ１０は、後述する「取得する」が選択された場合の処理（図１３参照）を実行する。なお、ユーザにより本文へボタン１１ｄが選択された場合には、ＣＰＵ１０は、イベント駆動的に図５に示す本文を表示する画面を表示部１に表示する。
【００２９】
次に、図７〜図９を参照して、本発明の一実施形態による電子書籍リーダ１００のＣＰＵ１０により実行される「読む」が選択された場合の処理について説明する。
【００３０】
まず、図７のステップＳ１１において、ＣＰＵ１０は、図示しない著作権承諾画面を表示部１に表示する制御を行う。著作権承諾画面には、あらすじに関して著作権が存在すること、および、あらすじの取り扱いについての承諾事項が表示される。ＣＰＵ１０は、著作権承諾画面においてユーザが承諾した場合にだけ次のステップに進む。ユーザが承諾しない場合には、ＣＰＵ１０は、「読む」が選択された場合の処理を中断して終了する。
【００３１】
ＣＰＵ１０は、ステップＳ１２において、図８に示すように、図５に示すカーソル１１ｂの位置（ユーザにより指定された位置）に対応するあらすじ表示画面を表示部１に表示する。あらすじ表示画面には、あらすじの内容とあらすじを作成したユーザのハンドル名とが表示される。すなわち、ユーザ自らが作成したあらすじの場合には、ユーザのハンドル名が表示され、他のユーザのあらすじの場合には、他のユーザのハンドル名が表示される。また、あらすじ表示画面には、図６に示した処理選択画面と同様に本文へボタン１１ｄが表示されるとともに、戻るボタン１１ｅと、切替ボタン１１ｆと、評価入力ボタン１１ｇとが表示される。
【００３２】
その後、ＣＰＵ１０は、ステップＳ１３において、切替ボタン１１ｆまたは評価入力ボタン１１ｇのいずれがユーザにより選択されたかを判断する。ユーザにより切替ボタン１１ｆが選択された場合には、ＣＰＵ１０は、ステップＳ１４において、表示部１に表示されるあらすじを別のユーザ（別のハンドル名）のあらすじに切り替える。すなわち、ユーザは、切替ボタン１１ｆを押下することによって、自分のあらすじと他のユーザのあらすじとを切り替えて表示させることが可能である。さらに、ユーザは、他のユーザのあらすじからさらに別のユーザのあらすじに表示を切り替えることも可能である。
【００３３】
一方、ユーザにより評価入力ボタン１１ｇが選択された場合には、ＣＰＵ１０は、ステップＳ１５において、図９に示すように、対応するあらすじの評価入力画面を表示する。評価入力画面には、あらすじを星の個数を用いて評価するための評価欄、および、あらすじに関するコメントを記載するためのコメント欄が表示される。ユーザは、タッチパネル式の表示部１を介して、評価欄の星の個数を決定し、コメント欄にコメントを記入することが可能である。そして、ユーザによりＯＫボタン１１ｈが押下されると、ＣＰＵ１０は、ステップＳ１６において評価およびコメントを受け付け、ステップＳ１７において、受け付けた評価およびコメントを無線通信部８を介して電子書籍サーバ２００にアップロードする。このように、ユーザは、評価入力ボタン１１ｇを押下することによって、あらすじについての評価およびコメントを電子書籍サーバ２００にアップロードすることが可能である。なお、アップロードされた評価は、後述するように、電子書籍サーバ２００により評価一覧およびコメント一覧に反映されて公開される。
【００３４】
なお、図８のあらすじ表示画面においてユーザが本文へボタン１１ｄを押下した場合には、ＣＰＵ１０は、イベント駆動的に図５に示す本文を表示する画面を表示部１に表示して「読む」が選択された場合の処理を終了する。また、図８のあらすじ表示画面および図９の評価入力画面においてユーザが戻るボタン１１ｅを押下した場合には、ＣＰＵ１０は、イベント駆動的に図６に示す処理選択画面を表示部１に表示して「読む」が選択された場合の処理を終了する。
【００３５】
次に、図１０〜図１２を参照して、本発明の一実施形態による電子書籍リーダ１００のＣＰＵ１０により実行される「作成する」が選択された場合の処理について説明する。
【００３６】
まず、図１０のステップＳ２１において、ＣＰＵ１０は、図１１に示すように、表示部１にあらすじ作成画面を表示する制御を行う。あらすじ作成画面には、あらすじ作成者のハンドル名を記載するためのハンドル名欄、あらすじ範囲を記載するためのあらすじ範囲欄、および、あらすじを記載するためのあらすじ入力枠が表示される。ユーザは、電子書籍の最初から図５に示すカーソル１１ｂの位置（ユーザにより指定された位置）までの全体的な範囲のあらすじを作成することが可能である。また、ユーザは、所定の位置（たとえば、第２章の先頭）から図５に示すカーソル１１ｂの位置（ユーザにより指定された位置）までの部分的な範囲のあらすじを作成することも可能である。このため、ユーザは、あらすじ範囲を記載することによって、どの範囲についてのあらすじなのかを明確にすることが可能である。また、あらすじ作成画面には、図８に示したあらすじ表示画面と同様に戻るボタン１１ｅが表示されるとともに、保存ボタン１１ｉと、ＵＰボタン１１ｊとが表示される。
【００３７】
その後、ＣＰＵ１０は、ステップＳ２２において、保存ボタン１１ｉまたはＵＰボタン１１ｊのいずれがユーザにより選択されたかを判断する。ユーザにより保存ボタン１１ｉが選択された場合には、ＣＰＵ１０は、ステップＳ２３において、ユーザにより作成されたあらすじをフラッシュメモリ５のあらすじ記憶領域５１に保存して、「作成する」が選択された場合の処理を終了する。これにより、ユーザは、自ら作成したあらすじを他のユーザに公開することなく自分の電子書籍リーダ１００にだけ保存することができる。
【００３８】
一方、ユーザによりＵＰボタン１１ｊが選択された場合には、ＣＰＵ１０は、ステップＳ２４において、ユーザにより作成されたあらすじをフラッシュメモリ５のあらすじ記憶領域５１に保存する。そして、ＣＰＵ１０は、ステップＳ２５において、図１２に示すように、表示部１にアップロード確認画面を表示する制御を行う。アップロード確認画面には、ユーザが作成したあらすじを電子書籍サーバ２００にアップロードするか否かを確認する内容が記載されている。また、ＣＰＵ１０は、ステップＳ２６において、「する」ボタン１１ｋまたは「しない」ボタン１１ｌのいずれがユーザにより選択されたかを判断し、「しない」ボタン１１ｌが選択された場合には、そのまま「作成する」が選択された場合の処理を終了する。また、ユーザにより「する」ボタン１１ｋが選択された場合には、ＣＰＵ１０は、ステップＳ２７において、ユーザが作成したあらすじを無線通信部８を介して電子書籍サーバ２００にアップロードする。この際、あらすじ本文だけでなく、ハンドル名、あらすじ範囲の情報および作成日時の情報なども合わせてアップロードされる。このように、ユーザは、自ら作成したあらすじを自分の電子書籍リーダ１００に保存するとともに電子書籍サーバ２００を介して他のユーザに公開することができる。なお、ユーザは、アップロードした自分のあらすじを編集することも可能である。
【００３９】
なお、図１１のあらすじ作成画面においてユーザが戻るボタン１１ｅを押下した場合には、ＣＰＵ１０は、イベント駆動的に図６に示す処理選択画面を表示部１に表示して「作成する」が選択された場合の処理を終了する。
【００４０】
次に、図１３〜図１５を参照して、本発明の一実施形態による電子書籍リーダ１００のＣＰＵ１０により実行される「取得する」が選択された場合の処理について説明する。
【００４１】
まず、図１３のステップＳ３１において、ＣＰＵ１０は、図１４に示すように、表示部１にあらすじ取得画面を表示する制御を行う。あらすじ取得画面には、あらすじ範囲の情報に基づいて、電子書籍サーバ２００により公開された他のユーザのあらすじのうち、図５に示すカーソル１１ｂの位置（ユーザにより指定された位置）の近辺のあらすじが表示される。具体的には、あらすじ取得画面には、図５に示すカーソル１１ｂの位置（ユーザにより指定された位置）の近辺で、かつ、ユーザにより指定された位置よりも前の位置（行番号や頁番号が小さい位置）のあらすじが選択可能に表示される。これにより、ユーザが先の内容（ユーザがまだ読んでいない部分の内容）を認識してしまうのを防止することが可能である。また、あらすじ取得画面には、戻るボタン１１ｅと、ソートボタン１１ｍとが表示される。
【００４２】
その後、ＣＰＵ１０は、ステップＳ３２において、ユーザによりいずれかのあらすじが選択されたか、または、ユーザによりソートボタン１１ｍが選択されたかを判断する。ソートボタン１１ｍが選択された場合には、ＣＰＵ１０は、ステップＳ３３において、ソート処理を実行する。詳細には、ＣＰＵ１０は、ユーザの指示に応じて、表示されたあらすじを作成者のハンドル名、あらすじ範囲、作成日時などに基づいて並べ替えて表示する。たとえば、ユーザは、ハンドル名の昇順で表示させる指示や、あらすじ範囲に基づいて部分的な範囲のあらすじ（ある位置からある位置までの部分的に作成されたあらすじ）だけを表示させる指示を行うことが可能である。
【００４３】
一方、ユーザによりいずれかのあらすじが選択された場合には、ＣＰＵ１０は、ステップＳ３４において、上記した「読む」が選択された場合の処理における著作権承諾画面（図７のステップＳ１１参照）を表示部１に表示する制御を行う。その後、ＣＰＵ１０は、ステップＳ３５において、図１５に示すように、ユーザにより選択されたあらすじのあらすじ詳細画面を表示部１に表示する。あらすじ詳細画面には、作成者のハンドル名、あらすじ範囲、あらすじ本文が表示されるとともに、電子書籍サーバ２００にアップロードされた評価およびコメントの一覧も合わせて表示される。これにより、ユーザは、あらすじを取得（ダウンロード）するか否かを、他のユーザによる評価およびコメントも参考にしながら決定することが可能である。また、あらすじ詳細画面には、戻るボタン１１ｅと、評価入力ボタン１１ｇと、取得ボタン１１ｎとが表示される。
【００４４】
そして、ＣＰＵ１０は、ステップＳ３６において、評価入力ボタン１１ｇまたは取得ボタン１１ｎのいずれがユーザにより選択されたかを判断する。取得ボタン１１ｎが選択された場合には、ＣＰＵ１０は、ステップＳ３７において、無線通信部８を介してあらすじを取得（ダウンロード）してフラッシュメモリ５のあらすじ記憶領域５１に保存する。また、評価入力ボタン１１ｇが選択された場合には、ＣＰＵ１０は、ステップＳ３８、Ｓ３９およびＳ４０において、それぞれ、上記した図７の「読む」が選択された場合の処理のステップＳ１５、Ｓ１６およびＳ１７と同様の動作を行う。すなわち、ＣＰＵ１０は、ユーザからあらすじの評価およびコメントを受け付けて電子書籍サーバ２００にアップロードする。
【００４５】
なお、図１４のあらすじ取得画面および図１５のあらすじ詳細画面においてユーザが戻るボタン１１ｅを押下した場合には、ＣＰＵ１０は、イベント駆動的に図６に示す処理選択画面を表示部１に表示して「取得する」が選択された場合の処理を終了する。
【００４６】
本実施形態では、上記のように、ユーザにより電子書籍のあらすじを作成可能なように構成することによって、ユーザの好みとは無関係に自動的にあらすじが作成される場合とは異なり、ユーザが自分にとって分かりやすいあらすじを自ら作成することができるので、ユーザにあらすじを参考にさせやすくすることができる。
【００４７】
また、本実施形態では、ユーザにより電子書籍の任意の位置であらすじを作成可能なように構成することによって、定められた位置でしかあらすじを作成することができない場合とは異なり、ユーザが所望する任意の位置で自分にとって分かりやすいあらすじを作成することができるので、あらすじ参照時のユーザの利便性を高めることができる。
【００４８】
また、本実施形態では、電子書籍サーバ２００と通信可能な無線通信部８と、ユーザにより作成されたあらすじを無線通信部８を介して電子書籍サーバ２００にアップロード可能なＣＰＵ１０とを設けることによって、ユーザにより作成されたあらすじを電子書籍サーバ２００を介してユーザ間で共有することができる。これにより、あらすじを電子書籍サーバ２００にアップロードするユーザが増えれば、電子書籍サーバ２００に蓄積されるあらすじの量の増加および質の向上を図ることができる。これによっても、あらすじ参照時のユーザの利便性を向上させることができる。
【００４９】
また、本実施形態では、ユーザにより作成されたあらすじを記憶するフラッシュメモリ５を設けるとともに、電子書籍サーバ２００により公開された他のユーザのあらすじを無線通信部８を介して取得してフラッシュメモリ５に記憶する制御を行うようにＣＰＵ１０を構成する。これによって、フラッシュメモリ５により、ユーザ自らが作成したあらすじに加えて、公開された他のユーザのあらすじも保存することができるので、あらすじ参照時のユーザの利便性をより高めることができる。
【００５０】
また、本実施形態では、公開された他のユーザのあらすじについてのコメントを受け付け、受け付けたコメントを無線通信部８を介して電子書籍サーバ２００にアップロード可能にＣＰＵ１０を構成する。これによって、あらすじについてのコメントを電子書籍サーバ２００を介してユーザ間で共有することができるので、ユーザは、他のユーザのあらすじを取得する際にコメントを参考にすることができる。
【００５１】
また、本実施形態では、ユーザにより作成されたあらすじおよび取得した他のユーザのあらすじを表示部１に切り替え可能に表示する制御を行うようにＣＰＵ１０を構成することによって、ユーザは、表示部１の表示を切り替えることにより、自ら作成したあらすじおよび他のユーザのあらすじを見比べながら閲覧することができる。これにより、あらすじ参照時のユーザの利便性をより高めることができる。
【００５２】
また、本実施形態では、ユーザにより作成されたあらすじを電子書籍サーバ２００にアップロードする際に、ユーザのハンドル名を合わせてアップロードするようにＣＰＵ１０を構成することによって、電子書籍サーバ２００によりあらすじとともにハンドル名を公開することができるので、ユーザはハンドル名を手がかりに所望のあらすじを容易に検索することができる。
【００５３】
また、本実施形態では、ユーザが電子書籍サーバ２００により公開された他のユーザのあらすじを取得する際に、あらすじ作成情報（ハンドル名、あらすじ範囲、作成日時）に基づいてあらすじを所定の基準により並べ替えて（たとえば、ハンドル名の昇順で並べ替えて）表示部１に表示するソートが可能なようにＣＰＵ１０を構成する。これによって、ユーザは、ソートにより所定の基準で並べ替えて所望のあらすじをより容易に検索することができる。
【００５４】
また、本実施形態では、ユーザが電子書籍サーバ２００により公開された他のユーザのあらすじを取得する際に、あらすじ範囲の情報に基づいてあらすじを表示部１に表示する制御を行うようにＣＰＵ１０を構成する。このように構成すれば、ユーザは、所望するあらすじ範囲のあらすじを検索することができるので、あらすじ範囲に無関係に表示されたあらすじの中から検索する場合に比べて、より容易に所望のあらすじを検索することができる。
【００５５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５６】
たとえば、上記実施形態では、本発明を電子書籍リーダに適用した例について示したが、本発明はこれに限られない。電子書籍リーダ機能を有する携帯電話機やＰＣ（パーソナルコンピュータ）など、電子書籍リーダ機能を有していれば、電子書籍リーダ専用機以外の電子機器に本発明を適用してもよい。
【００５７】
また、上記実施形態では、表示部の一例として、タッチパネル機能を有する表示部を示したが、本発明はこれに限られない。本発明では、タッチパネル機能を有しない表示部であってもよい。この場合には、ユーザが十字キーなどの操作部を用いて指示や選択を行う構成であってもよい。
【００５８】
また、上記実施形態では、ユーザにより任意の位置であらすじを作成可能な構成の例を示したが、本発明はこれに限られない。本発明では、章毎や頁毎など所定の位置（範囲）でだけあらすじを作成可能なように構成してもよい。
【００５９】
また、上記実施形態では、ユーザにより作成されたあらすじを、自分のフラッシュメモリ（記憶部）に保存可能であるとともに電子書籍サーバにアップロードして公開可能である構成の例を示したが、本発明はこれに限られない。本発明では、ユーザによりあらすじを作成可能であれば、自分の記憶部に保存可能なだけで、サーバにアップロードすることができない構成であってもよいし、自分の記憶部には保存しないでサーバにアップロードして公開するだけの構成であってもよい。
【００６０】
また、上記実施形態では、インターネット上の電子書籍サーバにあらすじをアップロードする構成の例を示したが、本発明はこれに限られない。本発明では、ＬＡＮ（Ｌｏｃａｌ  Ａｒｅａ  Ｎｅｔｗｏｒｋ）上のサーバやネットワークに接続されていないサーバなど、インターネット上のサーバ以外のサーバにあらすじをアップロードする構成であってもよい。
【００６１】
また、上記実施形態では、通信部の一例として、ＷｉＦｉ（登録商標）および３Ｇ（第３世代移動通信システム）に対応した無線通信部を示したが、本発明はこれに限られない。本発明では、サーバと通信可能であれば、ＷｉＦｉ（登録商標）および３Ｇ以外の通信規格に対応した通信部であってもよいし、有線の通信部であってもよい。
【符号の説明】
【００６２】
１  表示部
５  フラッシュメモリ（記憶部）
８  無線通信部（通信部）
１０  ＣＰＵ（制御部）
１００  電子書籍リーダ（電子書籍リーダ機能を有する電子機器）
２００  電子書籍サーバ（サーバ）
【図１】
2012038047.tif 000003
【図２】
2012038047.tif 000004
【図３】
2012038047.tif 000005
【図４】
2012038047.tif 000006
【図５】
2012038047.tif 000007
【図６】
2012038047.tif 000008
【図７】
2012038047.tif 000009
【図８】
2012038047.tif 000010
【図９】
2012038047.tif 000011
【図１０】
2012038047.tif 000012
【図１１】
2012038047.tif 000013
【図１２】
2012038047.tif 000014
【図１３】
2012038047.tif 000015
【図１４】
2012038047.tif 000016
【図１５】
2012038047.tif 000017